(57)【要約】【課題】自己調整及び故障の有無の自己診断を行う無線機を提供する。【解決手段】  記憶部と制御部とを備え、記憶部に記憶された信号方式に基づいて制御部が制御を行ってデジタル通信を行う無線機を用いる。記憶部には、無線機の試験・調整に用いる無線機測定器の制御を行う無線機測定器制御プログラムを備える。また、無線機の前記試験・調整の結果のデータの分析を行う試験調整結果分析プログラムを備える。制御部は、前記無線機測定器制御プログラムを実行して、前記無線機測定器に前記試験・調整の指示を行う。また、制御部は、試験調整結果分析プログラムを実行して、前記無線機測定器による試験・調整の結果のデータを分析し、自己調整及び故障の有無の自己診断を行う。【選択図】図１
2012080323.tif 000002
【特許請求の範囲】
【請求項１】
記憶部と制御部とを備え、前記記憶部に記憶された信号方式に基づいて前記制御部が制御を行ってデジタル通信を行う無線機において、
前記記憶部は、
前記無線機の試験・調整に用いる無線機測定器の制御を行う無線機測定器制御プログラムと、
前記無線機の前記試験・調整の結果のデータの分析を行う試験調整結果分析プログラムとを記憶し、
前記制御部は、
前記無線機測定器制御プログラムを実行して、試験・調整を行うための信号方式にするように、前記無線機測定器に前記試験・調整の指示を行い、
試験調整結果分析プログラムを実行して、前記無線機測定器による試験・調整の結果のデータを分析し、
自己調整及び故障の有無の自己診断を行う
ことを特徴とする無線機。
【発明の詳細な説明】
【技術分野】
【０００１】
本発明は、無線機に係り、特に試験・調整作業を行う無線機に関する。
【背景技術】
【０００２】
近年、デジタル無線機が普及している。このデジタル無線機においては、通信制御プログラムに基づく複数の通信方式のいずれかにより通信を行う無線機が主流になっている。
このような従来のソフトウェアにより通信方式を選択する無線機は、ハードウェア資源により実行する通信制御プログラムを変更することにより、複数の通信方式に基づく通信を１台の無線機器で実現する。
【０００３】
このような従来の無線機として、特許文献１を参照すると、複数の通信方式を選択的に用いて無線通信を行うソフトウェア無線機が記載されている（以下、従来技術１とする。）。
従来技術１によれば、良好な回線品質で無線通信を行うソフトウェア制御の無線機を提供できる。
【０００４】
〔無線機試験調整システムＹのシステム構成〕
ここで、図３を参照して、従来のソフトウェア制御によるデジタル無線機である無線機１１の試験・調整を行うための無線機試験調整システムＹについて説明する。
無線機試験調整システムＹは、主に無線機１１、無線機測定器２０、無線機測定器３０、無線機制御端末４０、及び無線機測定器制御端末５０を含んで構成される。
【０００５】
無線機１１は、従来のソフトウェア制御によるデジタル無線機である。無線機１１は、複数の通信制御プログラムを無線機器自体に記録して変更することや、外部から通信制御プログラムを取得して変更することにより通信方式を選択して、異なる複数の通信方式による通信を行うことができる。
【０００６】
無線機測定器２０は、無線機の試験のために必要な信号を無線機１１へ入力する無線機測定器であり、この無線機１１の試験のために必要な信号としては、試験用のデジタル信号を直接送信することができる。
測定用信号２１は、無線機測定器２０から無線機１１に入力する試験信号と、この試験信号の接続方向を示す。
【０００７】
無線機測定器３０は、無線機１１より出力された信号を試験する無線機測定器である。無線機測定器３０は、出力される電波信号が適切なものであるか否かについて測定する。
測定用信号３２は、無線機１１から出力される試験信号と、この試験信号の接続方向を示す。
【０００８】
無線機制御端末４０は、無線機１１の制御及び状態監視を行う無線機制御端末である。この無線機制御端末４０としては、シリアル／パラレルインターフェイスやＬＡＮ等を備えた一般的なＰＣ／ＡＴ互換機等のＰＣ（Ｐｅｒｓｏｎａｌ  Ｃｏｍｐｕｔｅｒ）に、無線機制御用ソフトウェアを備える構成とすることができる。
無線機測定器制御端末５０は、無線機測定器２０及び無線機測定器３０の制御及び状態監視を行う無線機測定器制御端末である。この無線機測定器制御端末５０についても、一般的なＰＣに、無線機測定器制御用ソフトウェアを備える構成とすることができる。
無線機制御状態監視信号６０は、無線機１１の制御及び状態監視を行う信号を示す。
無線機測定器制御状態監視信号７０は、無線機測定器２０及び無線機測定器３０の制御及び状態監視を行う信号を示す。
【０００９】
次に、無線機１１の制御構成の詳細について説明する。
無線機１１は、主に統括制御部１００と、記憶部１１０と、共用部１５０と、アンテナ１５５と、無線部１６０と、自動回線制御部１７０と、信号処理部１８０とを主に含んで構成される。
【００１０】
統括制御部１００は、受信ＲＦ回路や送信ＲＦ回路を備えた無線部１６０、回線品質を評価する自動回線制御部１７０、信号処理部１８０の変復調器等を、所定の搬送周波数及び通信方式に対応するように設定するために制御するＣＰＵ（Ｃｅｎｔｒａｌ  Ｐｒｏｃｅｓｓｉｎｇ  Ｕｎｉｔ）、ＭＰＵ（Ｍｉｃｒｏ  Ｐｒｏｃｅｓｓｉｎｇ  Ｕｎｉｔ）、ＤＳＰ（Ｄｉｇｉｔａｌ  Ｓｉｇｎａｌ  Ｐｒｏｃｅｓｓｏｒ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等の制御部位である。
【００１１】
記憶部１１０は、例えばＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、フラッシュメモリ等の不揮発性メモリ等の記憶媒体である。
記憶部１１０は、通信を行うための信号方式に関する情報である信号方式格納部１１１を備えている。
信号方式格納部１１１は、通信相手の機器が利用可能な通信方式の情報である。この通信方式としては、３Ｇ方式（ＩＭＴ−２０００方式）のようなＣＤＭＡ方式やＴＤＭＡ方式、Ｓｕｐｅｒ３Ｇ方式であるＬＴＥ（Ｌｏｎｇ  Ｔｅｒｍ  Ｅｖｏｌｕｔｉｏｎ）、ＷｉＭＡＸ等、高速なデータ通信に対応可能な各種方式についての情報を記憶可能である。
【００１２】
共用部１５０は、アンテナ１５５と接続され、電波の送受信を行うためのインターフェイス、コネクタ等を提供する部位である。この共用部１５０と、後述する無線機測定器３０とを接続することができる。
アンテナ１５５は、電波を送受信するための一般的なアンテナである。なお、無線機１１は、アンテナ１５５ではなく、増幅用の通信設備（図示せず）に接続するような構成であってもよい。
【００１３】
無線部１６０は、送受信用のＲＦ（Ｒａｄｉｏ  Ｆｒｅｑｕｅｎｃｙ）回路、ＬＮＡ（Ｌｏｗ  Ｎｏｉｓｅ  Ａｍｐｌｉｆｉｅｒ）、Ａ／Ｄ・Ｄ／Ａ変換回路等を備えた、電波信号とデジタル信号との変換を行う部位である。
無線部１６０は、アンテナ１５５から共用部１５０を介して受信した信号を増幅し、統括制御部１００によって設定された周波数等に基づいてＡ／Ｄ変換回路等にてデジタル信号に変換し、信号処理部１８０に送信する。
また、無線部１６０は、信号処理部１８０から受信したデジタル信号を、Ｄ／Ａ変換回路等にてアナログ信号に変換し、送信増幅回路等にて増幅し、電波信号としてＲＦ回路から共用部１５０に出力する。
【００１４】
自動回線制御部１７０は、回線品質評価データを付加して送信した信号と、回線品質評価データを付加した信号に対応する受信した信号とを比較して回線品質を評価する部位である。これにより、複数の通信方式に対応した無線機１１は、高品質な通信を行うことができる。
【００１５】
信号処理部１８０は、複数の通信方式の変復調処理を行うことができるＤＳＰ、ＡＳＩＣ、ＦＰＧＡ（Ｆｉｅｌｄ  Ｐｒｏｇｒａｍｍａｂｌｅ  Ｇａｔｅ  Ａｒｒａｙ）等である。
信号処理部１８０には、送受信処理に関するパラメータや、変復調処理を実行する通信制御プログラムを統括制御部１００から設定する。これにより、無線機１１は、複数の通信方式を用いて、外部の無線機器と無線通信を行うことができる。
【００１６】
〔従来の無線機試験調整システムＹにおける試験・調整〕
このような従来の無線機１１については、生産・製造段階や、実用環境において無線機の待機時・未使用時に、想定した方式に従って確実に送受信することができるか否かを試験・調整する必要がある。
ここで、無線機試験調整システムＹにおいて、具体的な試験・調整を行うためには、無線機１１、無線機測定器２０、及び無線機測定器３０を、手動により制御・監視する操作を行う必要があった。
【先行技術文献】
【特許文献】
【００１７】
【特許文献１】特開２００４−２０８０９８号公報
【発明の概要】
【発明が解決しようとする課題】
【００１８】
従来技術１のような従来の無線機の試験・調整作業では、無線機の制御及び監視を行う制御端末を用いて、人手による操作が必要であるという問題があった。
すなわち、この試験・調整作業においては、専用の測定器材である無線機測定器を用いて、制御端末の管理者による試験・調整作業が必須となっていた。
【００１９】
本発明は、このような状況に鑑みてなされたものであり、上述の課題を解消することを課題とする。
【課題を解決するための手段】
【００２０】
本発明の無線機は、記憶部と制御部とを備え、前記記憶部に記憶された信号方式に基づいて前記制御部が制御を行ってデジタル通信を行う無線機において、前記記憶部は、前記無線機の試験・調整に用いる無線機測定器の制御を行う無線機測定器制御プログラムと、前記無線機の前記試験・調整の結果のデータの分析を行う試験調整結果分析プログラムとを記憶し、前記制御部は、前記無線機測定器制御プログラムを実行して、前記無線機測定器に前記試験・調整の指示を行い、試験調整結果分析プログラムを実行して、前記無線機測定器による試験・調整の結果のデータを分析し、自己調整及び故障の有無の自己診断を行うことを特徴とする。
【発明の効果】
【００２１】
本発明によれば、無線機に無線機試験調整プログラムを備えることで、無線機測定器制御端末を人手による操作が必要なく、試験・調整を効率的に行える無線機を提供することができる。
【図面の簡単な説明】
【００２２】
【図１】本発明の実施の形態に係る無線機試験調整システムＸの制御構成を示すブロック図である。
【図２】本発明の実施の形態に係る無線機試験・調整処理のフローチャートである。
【図３】従来の無線機試験調整システムＹの制御構成を示すブロック図である。
【発明を実施するための形態】
【００２３】
＜実施の形態＞
〔無線機試験調整システムＸのシステム構成〕
まず、図１を参照して、本発明の実施の形態に係る無線機試験調整システムＸのシステム構成について説明する。
図１において、図３の無線機試験調整システムＹと同一の符号の機器は、同様の機能を備えている。
具体的には、無線機試験調整システムＸは、無線機１０、無線機測定器２０、及び無線機測定器３０を含んで構成される。
無線機測定器２０は、無線機１０の試験のために必要な信号を無線機へ入力する無線機測定器である。無線機試験調整システムＸにおいては、無線機測定器２０は、無線機１０により制御及び状態監視される。
無線機測定器３０は、無線機１０より出力された信号を試験する無線機測定器である。同様に、無線機測定器３０は、無線機１０により制御及び状態監視される。
無線機制御状態監視信号６０は、無線機１０と、無線機測定器２０及び無線機測定器３０間の制御及び状態監視を行う信号制御や試験のための信号を送受信可能であるＬＡＮや専用線等の各種ネットワークである。
このように、無線機試験調整システムＸは、制御端末を備えておらず、無線機１０のみを用いて試験・調整が可能である。
【００２４】
〔無線機１０の制御構成〕
図１を更に参照して、本発明の実施の形態に係る無線機１０の制御構成の１例について説明する。
無線機１０は、被試験対象である無線機である。また、無線機１０においても、図３の従来の無線機１１と同一の符号は同様の構成部位を示している。
ここで、従来の無線機１１と異なり、本実施形態の無線機１０は、記憶部１１０に無線機試験調整プログラム１１２を備えている。
これにより、無線機１０は、無線機測定器２０、３０との間で試験・調整を行うことができる。
【００２５】
〔無線機試験調整プログラム１１２の構成〕
無線機試験調整プログラム１１２は、無線機試験調整プログラムである。無線機試験調整プログラム１１２は、無線機測定器制御プログラム２１０、無線機制御プログラム２２０、及び試験調整結果分析プログラム２３０を含んで構成される。
【００２６】
無線機測定器制御プログラム２１０は、無線機１０から無線機測定器２０及び無線機測定器３０の制御及び状態監視を行い、試験・調整の結果のデータを収集する無線機測定器制御プログラムである。
無線機制御プログラム２２０は、無線機１０自身の制御プログラムであり、無線機１０の各部位の制御及び状態監視を行う。
試験調整結果分析プログラム２３０は、試験調整結果の分析を行う試験調整結果分析プログラムである。すなわち、試験調整結果分析プログラム２３０は、無線機測定器制御プログラム２１０及び無線機制御プログラム２２０により得られた無線機１０の試験・調整結果について分析する。
【００２７】
〔無線機試験調整システムＸを用いた試験調整処理〕
次に、図２を参照して、本発明の実施の形態に係る無線機１０の試験・調整の方法について説明する。
本実施形態の試験調整方法は、無線機１０の生産・製造段階で行う試験・調整作業や、無線機１０の実用環境における無線機１０の待機時・未使用時に行う試験・調整作業の際に用いるものである。
本発明の実施の形態に係る無線機１０は、上述のように、無線機１０の本体に試験・調整を行う機能を持ち、それらの結果を記録する機能を持つ。
以下で、図２のフローチャートを基に、本実施形態の試験調整処理の各ステップについて詳細に説明する。
【００２８】
まず、ステップＳ１０１において、統括制御部１００（制御部）は、無線機制測定器御状態監視処理を行う。
具体的には、統括制御部１００は、試験・調整を行うにあたって、無線機測定器２０及び無線機測定器３０とシリアル／パラレル端子又はネットワークを介して通信を行う。ここでは、統括制御部１００は、無線機制御状態監視信号６０を用いて、初期化コマンドと測定開始準備の信号を送信する。
この際、統括制御部１００は、無線機測定器２０及び無線機測定器３０が試験・調整に用いることができるか否かを判断する。
統括制御部１００は、無線機測定器２０及び無線機測定器３０が、適切に接続されていなかったり、接続にエラーがあったり、そもそも無線機測定器２０及び無線機測定器３０が無線機１０の試験・調整に用いることができない機器であった場合、エラーと判断する。
このエラーの場合には、統括制御部１００は、図示しない表示部にエラー表示を行い、ブザーを鳴らす等の警告を行う。
【００２９】
次に、ステップＳ１０２において、統括制御部１００は、無線機制御プログラム２２０を用いて、無線機制御状態監視処理を行う。
具体的に、統括制御部１００は、無線機制御プログラム２２０の自己診断を行うコード等を用いて、無線機１０の各部の状態を監視し、試験・調整のための信号方式に移行させる。この試験・調整のための信号方式として、統括制御部１００は、無線機１０の試験・調整に必要な固有の信号方式を選択する。
より具体的には、統括制御部１００は、信号処理部１８０を、無線機測定器２０からの信号を受信するように指示する。
また、統括制御部１００は、自動回線制御部１７０に試験・調整を行うための信号方式にするように、記憶部１１０の信号方式格納部１１１からの情報を基に指示する。
さらに、統括制御部１００は、他の部位についても、試験・調整のための信号方式にするように指示を行う。
なお、統括制御部１００は、無線機１０の生産・製造段階で行う試験・調整作業と、無線機１０の実用環境において無線機１０の待機時・未使用時に行う試験・調整作業とで、異なる信号方式に移行するよう選択してもよい。
【００３０】
次に、ステップＳ１０３において、統括制御部１００は、無線機測定器制御プログラム２１０を用いて、試験信号入力処理を行う。
この処理においては、統括制御部１００は、無線機制御状態監視信号６０を用いて、無線機測定器２０に、試験信号を無線機１０に送信指示するコマンドを送信する。統括制御部１００は、試験・調整を行うための信号方式に対応する試験信号を送付するように無線機測定器２０に指示する。
これにより、無線機測定器２０は、測定用信号２１を無線機１０に送信する。この測定用信号２１としては、測定用のデジタル信号の他に、試験のためのＤＳＰのプログラム等を送信してもよい。
また、統括制御部１００は、この測定用信号２１を受信しているか否かを判断し、もし受信していない場合には警告する。
なお、測定用信号２１はアンテナ１５５や、共用部１５０に直接入力するように構成してもよい。また、試験・調整の部位毎に、測定用信号２１を受信する箇所を変えてもよい。
【００３１】
次に、ステップＳ１０４において、統括制御部１００は、無線機測定器制御プログラム２１０を用いて、出力信号測定処理を行う。
具体的には、統括制御部１００は、無線機制御状態監視信号６０を用いて、無線機測定器３０に、測定用信号３２を受信するように指示するコマンドを送信する。この際に、統括制御部１００は、試験・調整を行うための信号方式に対応する測定用信号３２を受信するように無線機測定器３０に指示する。
この上で、統括制御部１００は、測定用信号２１を信号処理部１８０にて処理した信号を、共用部１５０にて電波出力に変換する。統括制御部１００は、この変換した電波出力の信号を、測定用信号３２として無線機測定器３０へ送信させる。無線機測定器３０は、この測定用信号３２を受信する。
なお、無線機測定器３０は、電波出力ではない測定用の信号を、無線機１０の各部から直接取得することもできる。
【００３２】
次に、ステップＳ１０５において、統括制御部１００は、試験調整結果分析プログラム２３０を用いて、試験結果分析処理を行う。
ここで、統括制御部１００は、無線機測定器３０から無線機制御状態監視信号６０を用いて、無線機測定器３０の測定結果のデータを取得する。
統括制御部１００は、測定結果のデータを解析し、記憶部１１０のフラッシュメモリ等の不揮発の記憶媒体に記憶された送信／受信パラメータ等を調整する。これにより、無線機１０における無線の通信品質の個体差を調整し、安定した通信を行わせることができる。
また、統括制御部１００は、測定結果のデータが異常値を示していた場合、無線機１０が故障であるとして、エラー表示やブザー等にて警告を行う。また、統括制御部１００は、無線機測定器２０又は無線機測定器３０へ、このエラー表示を印刷等させるように指示することができる。
このように、統括制御部１００は、自動で自己調整をし、故障有無の自己診断を行うことができる。
以上により、試験調整方法を終了する。
【００３３】
以上のように構成することで、以下のような効果を得ることができる。
まず、従来の無線機１１の場合、管理者が人手により無線機測定器制御端末５０を用いて、無線機測定器２０及び無線機測定器３０を調整する必要があった。この上で、従来の無線機１１は、管理者が人手により、無線機制御端末４０を用いて、無線機１１の試験・調整を行う必要があった。
また、従来の無線機試験調整システムＹの無線機制御端末４０には、専用の無線機制御用ソフトウェアを備える必要があった。さらに、従来の無線機試験調整システムＹの無線機測定器制御端末５０にも、専用の無線機測定器制御用ソフトウェアを備える必要があった。
【００３４】
これに対して、本発明の実施の形態に係る無線機１０は、記憶部１１０に無線機試験調整プログラム１１２を実装する。これにより、無線機１０自身が無線機１０の制御監視を行い、無線機測定器２０、３０の制御監視及び測定結果のデータの収集を行う。
また、本発明の実施の形態に係る無線機１０の無線機試験調整プログラム１１２は、無線機自身の制御プログラムである無線機制御プログラム２２０と、無線機測定器２０、３０の制御プログラムである無線機測定器制御プログラム２２０と、測定結果のデータを分析する試験調整結果分析プログラム２３０とを備えて構成する。
よって、本発明の実施の形態に係る無線機１０は、従来の無線機１１のような手動による操作や操作のための制御端末が不要となり、試験・調整のための機器を少なくなる。また、無線機１０は、自律的に自己調整・故障有無の自己診断を行うことができる。
このため、本発明の実施の形態に係る無線機１０は、試験・調整にかかる手間やコストを低減できる。よって、無線機１０の試験・調整環境の簡素化、高効率化を実現することができる。
【００３５】
また、従来の無線機１１の場合、無線機毎に試験・調整の方法が異なっていた。このため、例えば、無線機１１を多品種少量生産する場合、いちいち無線機測定器２０及び無線機測定器３０とを人手にて試験・調整を行う必要があった。特に、無線機１１のようにソフトウェアにより通信方式を変更可能な無線機の場合、この試験・調整について、この無線機１１が対応するすべての通信方式についての試験・調整を行う必要があるため手間がかかっていた。
これに対して、本発明の実施の形態に係る無線機１０の無線機試験調整プログラム１１２は、無線機測定器２０、３０の制御プログラムである無線機測定器制御プログラム２２０と、測定結果のデータを分析する試験調整結果分析プログラム２３０とを備えている。
よって、無線機１０毎に、最適な試験・調整を自律的に行うことができる。このため、無線機１０の試験・調整の手間を少なくすることができる。
なお、従来、無線機１０に無線機測定器２０、３０の制御を行う無線機測定器制御プログラム２２０や、この無線機測定器２０、３０からの試験調整結果を分析する試験調整結果分析分析プログラム２３０を備えることは、当業者には想定できなかった。このため、単なる設計事項ではない。
【００３６】
また、本発明の実施の形態に係る無線機１０の試験・調整方法は、生産・製造段階で行う試験・調整作業において無線機１０自身が接続する無線機測定器材の制御・監視・データの解析を行い自動自己調整・故障有無の自己診断を行うことを特徴とする。
また、本発明の実施の形態に係る無線機１０の試験・調整方法は、無線機１０の実用環境において無線機１０の待機時・未使用時に無線機１０自身が接続する無線機測定器材の制御・監視・データの解析を行い自動自己調整・故障有無の自己診断を行うことを特徴とする。
【００３７】
なお、本実施形態の無線機試験調整プログラム１１２において、無線機測定器制御プログラム２１０と、無線機制御プログラム２２０と、試験調整結果分析プログラム２３０とは、試験・調整作業の開始前に、それぞれ無線機測定器２０や無線機測定器３０から無線機１０にダウンロードする構成としてもよい。
これにより、接続する無線機測定器２０や無線機測定器３０に対応した最適なプログラムをダウンロードして、手間を掛けずに試験・調整作業を行う「プラグ・アンド・プレイ」を実現することができる。
【００３８】
また、無線機１０の試験・調整の結果は、記憶部１１０のフラッシュメモリ等の不揮発性の記憶媒体に記録しておき、これを直接無線機測定器２０又は無線機測定器３０にて読み出したり、図示しない端末でチェックするような構成も実現できる。
【００３９】
なお、上記実施の形態の構成及び動作は例であって、本発明の趣旨を逸脱しない範囲で適宜変更して実行することができることは言うまでもない。
【符号の説明】
【００４０】
１０、１１  無線機
２０  無線機測定器
２１、３２  測定用信号
３０  無線機測定器
４０  無線機制御端末
５０  無線機測定器制御端末
６０  無線機制御状態監視信号
７０  無線機測定器制御状態監視信号
１００  統括制御部
１１０  記憶部
１１１  信号方式格納部
１１２  無線機試験調整プログラム
１５０  共用部
１５５  アンテナ
１６０  無線部
１７０  自動回線制御部
１８０  信号処理部
２１０  無線機測定器制御プログラム
２２０  無線機制御プログラム
２３０  試験調整結果分析プログラム
Ｘ、Ｙ  無線機試験調整システム
【図１】
2012080323.tif 000003
【図２】
2012080323.tif 000004
【図３】
2012080323.tif 000005